(57)【要約】      （修正有）【課題】従来のワープロ・パソコン等のキーボードにおける「キー数が９０〜１００前後と多いために設置面積が大となりかつひらがなキーの配列配置に規則性がないためにブラインドタッチがしにくいという難点」を解消する。【解決手段】キーボードを文字入力キーボード２と操作命令キーボード３に分割分離しそれぞれを機器本体１と接続コード４で接続した構成とし、文字入力キーボード２においてはその１５個の文字入力キーと１個の濁点キーを用いて文字・数字・記号等の入力を行ない、操作命令キーボード３においてはその２０個の操作命令キーを用いて機器本体１や文字キーボード２に対する機能命令や作業命令を行なう。【選択図】図１
2012128823.tif 000002
【特許請求の範囲】
【請求項１】
「キー配列が『あいうえお列』『かきくけこ列』『さしすせそ列』の縦三列および『あかさ段』『いきし段』『うくす段』『えけせ段』『おこそ段』の横五段によって構成されかつ濁点キーを付属させることにより所定のひらがな・カタカナおよび英字・数字・記号等を所定の入力方法に従って入力する機能を有するキー群からなる文字入力キーボード」とこの文字入力キーボードから分離もしくは隔絶し「キー配列が『左動・国字・後退・国記・行頭の列』『上動・英字・空白・英記・行末の列』『下動・数字・実行・数記・上頁の列』『右動・全角・削除・形記・下頁の列』の縦四列および『左動・上動・下動・右動の段』『国字・英字・数字・全角の段』『後退・空白・実行・削除の段』『国記・英記・数記・形記の段』『行頭・行末・上頁・下頁の段』の横五段によって構成され文章作成操作・字種変換操作・記号入力操作・機能入力操作等の作業操作に関する所定の命令を所定の入力方法に従って入力する機能を有するキー群からなる操作命令キーボード」によって構成されるキーボード系。
【発明の詳細な説明】
【技術分野】
【０００１】  本発明は、キー操作によって文字・数字・記号等を液晶表示画面等に入力するワープロ・パソコン・電子手帳等の電子機器類におけるキーボードの改良に関する発明である。
【背景技術】
【０００２】  本発明に関連する特許文献としては、出願人本人が出願した以下の文献がある。
【特許文献１】  特開  平０９−１０６３１７号公報
【特許文献２】  特許番号  第４６３２０３５号（特開  ２００６−２３８３９５号）公報
【０００３】  本発明は、「特許文献１におけるキーボード」を改良したものであり、「文字入力キーボードとしての特許文献２におけるキーボードにおいて使用されている文字入力方法」を本発明における文字入力キーボードに使用しているものである。
なお、「特許文献２におけるキーボード」は「携帯電話機用キーボード」の名称で２０１０年（平成２２年）１１月２６日に特許登録を受けているものである。
【発明の開示】
【発明が解決しようとする課題】
【０００４】  従来使用されていたワープロ・パソコンその他の電子機器類におけるキーボードには、以下の１〜４のような欠点があった。【０００５】１、従来使用されていたワープロやパソコンにおいては、いずれの機種においても文字入力キーおよび操作命令キーを合わせて総計９０前後から１００前後ものキーが使用されており、このキー数の多さを原因に、以下のイ・ロの欠点が生じていた。
イ、製造コストが高くなっていた。
ロ、機器全体の体積・容積・設置面積および重量が大となるため、据え置きに場所をとりかつ携帯にも不便であった。
２、旧ＪＩＳキーボードをはじめ現在市販されているほぼすべてのキーボードのいずれにおいても、そのひらがな文字配列にほとんど規則性が認められず、この事実が原因となってキー位置とキー操作の分かりにくさ覚えにくさにははなはだしいものがあった。
このため、ブラインドタッチができにくく、とりわけ初心者にいわゆるキーボードアレルギーを生じさせていた。【０００６】３、現在使用されているキーボードのほとんどが、一体的に形成された盤面において中央部分に文字入力キー群が配置されその周囲を操作命令キー群が取り巻くといったキー配置構成であり、かつ、そのキー操作は左右両手の五指をすべて使って行なうことを原則としているものである。
４、このため、使用者は、かならずキーボードを体の正面に置き両手を揃えてキー操作をしなければならず、この使用方法上とりわけ使用姿勢上の制限的条件から、以下のイ〜ハの難点が生じていた。
イ、キー操作中は上半身全体の姿勢が固定されてしまうので長時間にわたる使用時にはとりわけ頸肩腕部において疲労が蓄積し、いわゆる頸肩腕症候群等の職業病を患うことともなっていた。
ロ、机上においてキーボードが使用者の体の直前にあるために読み取り原稿をキーボードの左右のいずれかに置かねばならず、原稿の読み取りのたびに視線を斜め横方向に振り向けねばならないことによって、両眼の不同視の反復による眼精疲労や頸部の偏運動の反復による肩こり等を招いていた。
また、キー操作をしながらノートや原稿に書き込みをしなければならない場合には、体を斜めにねじった不自然な姿勢でせざるをえず、正確で丁寧な筆記をすることが困難であった。
ハ、キー操作中は、両手の位置とキーボードの位置が重なった状態での姿勢を保ち続けねばならないことで目と表示画面の距離が約３０〜４０センチ程度に固定されてしまい、眼精疲労のみならず近視の原因ともなっていた。
【課題を解決するための手段】
【０００７】  本発明におけるキーボードの構成を説明すると、
本発明は、概念図としての『図１』に示すように、従来において「文字入力キーおよび操作命令キーの全キーが同一基盤上に配置されていたキーボード」を、
イ、文字入力キーボード２＝文字入力キー５のみからなるキーボード。
ロ、操作命令キーボード３＝操作命令キー７のみからなるキーボード。
の二種の基盤すなわちキーボード系に分離分割したものである。【０００８】  「文字入力キーボード２におけるキー配置」について説明すると、
『図２』および「『図５』の（１）」に示すように、１５個の文字入力キー５を「『あいうえお列』『かきくけこ列』『さしすせそ列』の縦三列および『あかさ段』『いきし段』『うくす段』『えけせ段』『おこそ段』の横五段」に配列配置したキー群に「１個の濁点キー６」を付属させた構造である。
なお、「文字入力キーボード２における各キーの固有キー名」については、「『図５』の（１）に表示されたキー名」をもってその固有名とするものである。【０００９】  「操作命令キーボード３におけるキー配置」について説明すると、
『図３』および『図４』に示すように、２０個の操作命令キー７を「『左動・国字・後退・国記・行頭の列』『上動・英字・空白・英記・行末の列』『下動・数字・実行・数記・上頁の列』『右動・全角・削除・形記・下頁の列』の縦四列および『左動・上動・下動・右動の段』『国字・英字・数字・全角の段』『後退・空白・実行・削除の段』『国記・英記・数記・形記の段』『行頭・行末・上頁・下頁の段』の横五段」に配列配置した構造である。
なお、「操作命令キーボード３における各キーの固有キー名」については、「『図４』に表示されたキー名」をもってその固有名とするものである。【００１０】  各キーにおける機能および使用方法について述べると、以下のとおりである。【００１１】  「字種指定」に関しては、以下の１〜５のとおりである。
１、「ひらがな」「カタカナ」に関しては、「国字キー」を押すたびに双方の字種が切り替わる。
２、「英小文字」「英大文字」に関しては、「英字キー」を押すたびに双方の字種が切り替わる。
３、「洋数字」「漢数字」に関しては、「数字キー」を押すたびに双方の字種が切り替わる。
４、「全角」「半角」に関しては、「全角キー」を押すたびに双方の字種が切り替わる。
５、「形状記号」「絵状記号」に関しては、「形記キー」を押すたびに双方の字種（記号種）が切り替わる。【００１２】  「ひらがなの入力方法」に関しては、以下の１〜９のとおりである。
１、「国字キー」を押して字種指定を『ひらがな』とする。
２、『あいうえお・かきくけこ・さしすせそ』の各清音については、「『図５』の（１）」における「該当のキー」を押す。
３、『たちつてと・なにぬねの・はひふへほ』の各清音については、「『図５』の（２）（３）（４）」における「同一段に並んだ２個の同字表示キー」を（２指を用いて）同時に押す。
４、「まみむめも・やゆよ・らりるれろ・わをん」の各清音と撥音については、「『図５』の（５）（６）（７）（８）」における「一段違いに斜めに配された２個の同字表示キー」を同時に押す。
５、『がぎぐげご・ざじずぜぞ・だぢづでど・ばびぶべぼ』の各濁音については、「２・３に示した入力方法」に従って『かきくけこ・さしすせそ・たちつてと・はひふへほの該当の字』をそれぞれ入力した後に「濁点キー６」を押す。
６、『ぱぴぷぺぽ』の各半濁音については、「３に示した入力方法」に従って『はひふへほの該当の字』をそれぞれ入力した後に「濁点キー６」を連続して２度押す。
７、『ぁぃぅぇぉ・ゃゅょ』の各拗音については、「２・４に示した入力方法」に従って『あいうえお・やゆよの該当の字』をそれぞれ入力した後に「濁点キー６」を押す。
８、『っ』の促音については、「３に示した入力方法」に従って『つの字』を入力した後に「濁点キー６」を連続して２度押す。
９、『ー、。「」』の各記号については、「３に示した入力方法」に従って、
イ、『ー』については、『なの字』を入力した後に「濁点キー６」を押す。
ロ、『、』については、『にの字』を入力した後に「濁点キー６」を押す。
ハ、『。』については、『ぬの字』を入力した後に「濁点キー６」を押す。
ニ、『「』については、『ねの字』を入力した後に「濁点キー６」を押す。
ホ、『」』については、『のの字』を入力した後に「濁点キー６」を押す。【００１３】  「カタカナの入力方法」に関しては、以下の１〜２のとおりである。
１、「国字キー」を押して字種指定を『カタカナ』とする。
２、『カタカナの各字』の入力方法は「ひらがなの入力方法としての１〜９の入力方法」に準じるものとする。【００１４】  「英小文字の入力方法」については、以下の１〜４のとおりである。
１、「英字キー」を押して字種指定を『英小文字』とする。
２、『ａｂｃｄｅｆｇｈｉｊｋｌｍｎｏ』の各小文字については、「『図５』の（９）」における「該当のキー」を押す。
３、『ｐｑｒｓｔｕｖｗｘｙｚ』の各小文字については、「『図５』の（１０）（１１）（１２）」における「同一段に並んだ２個の同字表示キー」を同時に押す。
４、『．，？！』の各記号については、「『図５』の（１２）」における「同一段に並んだ２個の同記号表示キー」を同時に押す。【００１５】  「英大文字の入力方法」については、以下の１〜３のとおりである。
１、「英字キー」を押して字種指定を『英大文字』とする。
２、『英大文字の各字』の入力方法は「英小文字の入力方法としての１〜４の入力方法」に準じるものとする。
３、字種指定が英小文字の時に「英小文字の該当の字」を入力後に「濁点キー」を押す。【００１６】  「洋数字の入力方法」については、以下の１〜２のとおりである。
１、「数字キー」を押して字種指定を『洋数字』とする。
２、『１２３４５６７８９０』の各洋数字および『，円年月日』の各記号・各字については、「『図５』の（１３）」における「該当のキー」を押す。【００１７】  「漢数字の入力方法」については、以下の１〜３のとおりである。
１、「数字キー」を押して字種指定を『漢数字』とする。
２、『一二三四五六七八九〇』の各漢数字および『十百千万億』の各字については、「『図５』の（１４）」における「該当のキー」を押す。
３、字種指定が洋数字の時に「洋数字の該当の字」入力後に「濁点キー」を押す。【００１８】  「国字記号の入力方法」については、以下の１〜２のとおりである。
１、「国記キー」を押して字種指定を『国字記号』とする。
２、表示画面において「あキー」から「そキー」までの各キー位置に表示された「国字記号としての各記号に該当するキー」を押して入力する。
３、ただし、「国字記号」とは、「和文表記に際して一般的に使用される括弧記号その他の各種の記号」をいう。【００１９】  「英字記号の入力方法」については、以下の１〜２のとおりである。
１、「英記キー」を押して字種指定を『英字記号』とする。
２、表示画面において「あキー」から「そキー」までの各キー位置に表示された「英字記号としての各記号に該当するキー」を押して入力する。
３、ただし、「英字記号」とは、「英文表記に際して一般的に使用される各種の記号」をいう。【００２０】  「数字記号の入力方法」については、以下の１〜２のとおりである。
１、「数記キー」を押して字種指定を『数字記号』とする。
２、表示画面において「あキー」から「そキー」までの各キー位置に表示された「数字記号としての各記号に該当するキー」を押して入力する。
３、ただし、「数字記号」とは、「数学物理学化学系統の文章表記に際して一般的に使用される各種の記号」をいう。【００２１】  「形状記号の入力方法」については、以下の１〜２のとおりである。
１、「形記キー」を押して字種指定を『形状記号』とする。
２、表示画面において「あキー」から「そキー」までの各キー位置に表示された「形状記号としての各記号に該当するキー」を押して入力する。
３、ただし、「形状記号」とは、「一般的な文章表記に際して使用される『形状的特徴を有する印』としての各種の記号」をいう。【００２２】  「絵状記号の入力方法」については、以下の１〜２のとおりである。
１、「形記キー」を押して字種指定を『絵状記号』とする。
２、表示画面において「あキー」から「そキー」までの各キー位置に表示された「絵状記号としての各記号に該当するキー」を押して入力する。
３、ただし、「絵状記号」とは、「一般的な文章表記に際して使用される『絵状的特徴を有する印』としての各種の記号」をいう。【００２３】  「国記キー」「英記キー」「数記キー」「形記キー」においては、
１、「濁点キー６」を押すごとに候補記号表示画面が「次画面」に進行的に切り替わり「表示される該当の文字入力キー５」を押すことによって該当の記号の入力がなされる。【００２４】  「操作命令キー７における各キーの機能」に関しては、以下の１〜２０に示すとおりであり、各操作命令は該当のキーを押すことによって入力される。【００２５】１、「左動キー」は、「カーソル（指標）」を左方向に移動させる。
２、「上動キー」は、「カーソル（指標）」を上方向に移動させる。
３、「下動キー」は、「カーソル（指標）」を下方向に移動させる。
４、「右動キー」は、「カーソル（指標）」を右方向に移動させる。【００２６】５、「国字キー」は、「ひらがな・カタカナ」をキー押しごとに切り替える。
６、「英字キー」は、「英小文字・英大文字」をキー押しごとに切り替える。
７、「数字キー」は、「洋数字・漢数字」をキー押しごとに切り替える。
８、「全角キー」は、「全角・半角」をキー押しごとに切り替える。【００２７】９、「後退キー」は、キー押しごとに「カーソルの一字前の字および指定範囲の字」を消去する。
１０、「空白キー」は、キー押しごとに「カーソルの後」を空白とする。また、ひらがなを漢字に変換する。
１１、「実行キー」は、「文字数字記号等の入力確定および改行等の作業」を実行する。
１２、「削除キー」は、キー押しごとに「カーソルの一字後の字および指定範囲の字」を消去する。【００２８】１３、「国記キー」は、「国字記号」を入力する。
１４、「英記キー」は、「英字記号」を入力する。
１５、「数記キー」は、「数字記号」を入力する。
１６、「形記キー」は、「形状記号・絵状記号」を入力する。【００２９】１７、「行頭キー」は、カーソルを「行頭」に移動させる。
１８、「行末キー」は、カーソルを「行末」に移動させる。
１９、「上頁キー」は、ページを上方に移動させる。
２０、「下頁キー」は、ページを下方に移動させる。【００３０】  「上記の１〜２０の操作命令以外の操作命令の入力」に関しては、
１、「当該の操作命令の入力に必要なキー」を「文字入力キーボード２もしくは操作命令キーボード３の基盤上の適宜な位置」に追加的に配置しそのキー押し操作によって「所定の操作命令」を入力してもよい。
２、「上記の１〜２０の操作命令キー７の所定のいずれかのキーを２個もしくは複数個同時に押す」ことによって「所定の操作命令」を入力できるように設定してもよい。【００３１】  なお、「文字入力キー５および操作命令キー７におけるキー操作」において、「所定の組み合わせからなる２個のキーを同時に押し同時に通電させて所定の入力を行なう場合（例えば『あキー』と『かキー』を同時に押して『た』の字を入力する場合）、１００分の１秒あるいは１０００分の１秒程度の短時間を単位に考えるならば、二本の指（一般的には人差し指と中指の先端）が完全に同時にキー押し操作を行ない当該の２個のキーが完全に同時に通電することは通常はありえず、入力操作者がいかに素早く二本の指で同時に当該の２個のキーを押したつもりではあっても、一般的には「当該の２個のキーのいずれかのキーが先に押されて先行通電した直後に他のキーが押されて後行通電し当該の２個のキーの同時通電が成立する」と考えるべきである。【００３２】  したがって、この入力体系において、この２個のキーにおける通電時間差に基づいて発生する「先行通電キーの入力による画面表示とこれに続く同時通電キーの入力による画面表示の二重入力の現象」に対する解消処理を行なわないならば、たとえば「『た』の字は『あキー』と『かキー』を同時に押して入力する」とプログラミングされていても、「『たけ』と入力するために『あキー』と『かキー』を同時に押したのち『けキー』を押した場合」には、
イ、「あキー」が先行通電した場合は、「あたけ」と画面表示される。
ロ、「かキー」が先行通電した場合は、「かたけ」と画面表示される。
こととなり、入力操作者が意図する「たけ」という字は得られないこととなる。【００３３】  この事態を回避し入力操作を入力操作者の意図どおりに行なうために、本発明においては、
イ、「２個の文字入力キーの同時押し操作による入力時における当該の２個の文字入力キーの通電時間差に基づいて発生する二重入力の現象」を解消して「当該の２個の文字入力キーの同時押し操作による所定の入力」を成立させる方法。
として、
ロ、ＡキーとＢキーを同時に押しその同時通電によってＣの入力効果を成立させる場合、ＡキーとＢキーの同時通電が成立した直後に「先に通電したＡキーもしくはＢキーのいずれかのキーによる入力効果」をＡキーとＢキーの同時通電を理由として自動的に取り消すことによって「Ｃの入力効果」を成立させる。
ようにプログラミングしておくものとする。【００３４】  すなわち、具体例として示すならば、「『た』の字は『あキー』と『かキー』を同時に押して入力する」とプログラミングされている場合のこのプログラミングは、
イ、「あキー」が先行通電したのち「かキー」が後行通電し双方のキーの同時通電が成立した直後にこの同時通電を理由として「あキー」の入力が自動的に取り消されて『た』の字の入力がなされるプログラミング。
ロ、「かキー」が先行通電したのち「あキー」が後行通電し双方のキーの同時通電が成立した直後にこの同時通電を理由として「かキー」の入力が自動的に取り消されて『た』の字の入力がなされるプログラミング。
によって構成されているものとし、「本キーボード系におけるすべての同時キー押し操作」においてこのプログラミング処理が行なわれておりさえすれば「所定の同時キー押し操作による入力」を円滑に行なうことができるものである。【００３５】  すなわちまた、本発明におけるキーボードは、
イ、所定の組み合わせからなる２個の入力キーを同時に押し同時に通電させて所定の入力を行なう場合に、「押された２個の入力キーが同時に通電する直前に微差の時間差をもって発生するいずれか一方の入力キーにおける先行通電によってなされた入力」を押された２個の入力キーが同時に通電した直後に取り消し、もって押された２個の入力キーのいずれの入力キーにおいて先行通電がなされたとしても「当該の２個の入力キーが同時に押されて同時に通電することによってなされるべき所定の入力」を成立させるキーボード。
である。
【発明の効果】
【００３６】  本発明の効果および利点については、以下の１〜５のとおりである。
１、従来のワープロ・パソコン等の電子機器類におけるキーボードにおいて配置されているキー総数はいずれも９０〜１００個前後もあったが、本発明におけるキーボード系においては、その基本キー数は「文字入力キー５が１５個および濁点キー６が１個および操作命令キー７が２０個の計３６個」でよく、追加機能キーを合わせても５０個前後に収まることとなり、
イ、製造コストの半減程度の引き下げが可能である。
ロ、機器全体の体積・容積・設置面積および重量の半減程度の縮小と軽量化が可能である。
２、文字入力キー５の入力操作に関しては、キー配列が（日本人が子供の頃から慣れ親しんでいる）五十音図どおりと規則的でありキー位置が分かりやすく覚えやすい。
このため、誰でも簡単にブラインドタッチができ、キーボードアレルギーにならずにすむ利点がある。
３、「キーボードを文字入力キーボード２と操作命令キーボード３に分離分割し各キーボードと機器本体１を接続コード４で連結することによって入力操作を行なう方式」であり、かつ、左手で操作命令キーボード３を、右手で文字入力キーボード２を、それぞれ専用的に使用する方式であるために、機器本体１の位置に関係なく接続コード４の長さと両手の置き場所が許す範囲内で操作命令キーボード３も文字入力キーボード２も机上のどの位置に置いてもよい。
このため、
イ、キー操作中に左右の手の位置も体の位置も固定されることがないので操作姿勢が楽となり、長時間にわたる使用時においても手・腕・肩・頸部・上半身等に疲労が蓄積することがない。
ロ、『読み取り原稿』を「操作命令キーボード３と文字入力キーボード２の中間すなわち機器本体１の表示画面の直前したがってまた入力操作者の体の正面」に置くことができるので、原稿を読み取るための視線の移動が上下移動のみでかつ最小距離ですみ、目も頸部も疲れなくてすむ。
ハ、また、キー操作をしながらノートや読み取り原稿・書き込み原稿に書き込みをしなければならない場合でも、ノートや読み取り原稿・書き込み原稿を入力操作者の体の正面の机上にじかに置くことができるので、正確で丁寧な筆記をすることができる。
ニ、接続コード４の長さが許す範囲内で機器本体１の表示画面と目の距離を自在に調節することができるので、眼精疲労や近視になるのを防ぐことができる。
４、文字入力キーボード２および操作命令キーボード３はともに小体積かつ軽量なのでいずれかに『マウス機能』を組み込みその保持と移動による機能操作を行なうことにより、カーソル操作や機能指示操作等の入力操作を簡便に行なうことができる。
５、機器本体１と文字入力キーボード２・操作命令キーボード３が分離しているので、機器本体１が旧式化したり故障した場合でも機器本体１のみを買い替えればよく、使用者の長期運用コストが安上がりとなる。
また、文字入力キーボード２と操作命令キーボード３のキー配列とキー機能に対する「メーカー間における標準化」が容易なので、使用者は一台の文字入力キーボード２と操作命令キーボード３を持っておりさえすればどのメーカーのどのワープロ・パソコン・電子手帳等の電子機器類等の機種でもこれを使うことができたいへん便利である。
【発明を実施するための最良の形態】
【００３７】  「本発明における最良の実施例」については、以下の１〜９のとおりである。
１、「ワープロ・パソコン・電子手帳等の電子機器類の機器本体１」に接続コード４を介して文字入力キーボード２および操作命令キーボード３を接続しこの分割分離されたキーボード系において相応の入力操作を行なうことにより機器本体１に相応所定の文章表現機能を発揮させる。
２、「ワープロ・パソコン・電子手帳等の電子機器類の機器本体１」と文字入力キーボード２および操作命令キーボード３を基盤的に一体形成しこのキーボード系において相応の入力操作を行なうことにより機器本体１に相応所定の文章表現機能を発揮させる。
３、「ワープロ・パンコン・電子手帳等の電子機器類の機器本体１および文字入力キーボード２および操作命令キーボード３」のそれぞれに無線送信受信機能を持たせその相互の間においてこのキーボード系における相応の入力操作に対応しての相応の入力用無線の送信と受信を行なうことにより機器本体１に所定相応の文章表現機能を発揮させる。
４、「『課題を解決するための手段』において指定し『図５』の（２）〜（８）および（１０）〜（１２）に表示した『２個の文字入力キー５の組み合わせ』」以外の組み合わせからなる２個もしくは複数個の文字入力キー５もしくは操作命令キー７の同時キー押し操作による所定の追加的な文字入力方法・操作命令方法を設定してもよい。
５、「ひらがな入力・英字入力・数字入力に際しての『図５』の（１）〜（１４）における各キーの入力機能とキー配置」および「操作命令に際しての『図４』における各キーの入力機能とキー配置」に関しては、各キーにおいてその入力機能とキー配置を任意の入力機能と配置に置換してもよい。
６、文字入力キーボード２もしくは操作命令キーボード３におけるその基盤上において「文字入力キー５もしくは操作命令キー７の周辺もしくは近辺」に「本発明において指定するキー機能以外の文字入力機能・操作命令機能を有するキー」を追加的に適宜に付加し配置し所定相応の文字入力と操作命令を行なってもよい。
７、文字入力キーボード２もしくは操作命令キーボード３のいずれかに「マウス機能」を組み込み当該のキーボードを手で保持しマウス機器として動かすことによって当該のキーボードにマウス機能を持たせてもよい。
８、文字入力キーボード２もしくは操作命令キーボード３の基盤上のいずれかに「マウスパッド機能・トラックボール機能等のカーソル移動指示機能を有する機器」を組み込みその操作によってカーソル移動指示を行なってもよい。
９、「ＱＷＥＲＴＹ」方式によるローマ字入力に慣れた使用者用に機器本体１に「文字入力キーボード２と操作命令キーボード３」以外にも「ＱＷＥＲＴＹ方式でのキーボード」を追加的に接続してもよい。
【産業上の利用可能性】
【００３８】  本発明は「ワープロ・パソコン・電子手帳等の電子機器類」におけるキーボードとして使用されるものであるから、十分なる産業上の利用可能性を有する。
【図面の簡単な説明】
【００３９】
【図１】  「パソコン等の電子機器類の機器本体１」と文字入力キーボード２および操作命令キーボード３の接続と配置に関する概念図。
【図２】  文字入力キーボード２の斜視図。
【図３】  操作命令キーボード３の斜視図。
【図４】  操作命令キーボード３における各操作命令キー７の配列配置図。
【図５】  文字入力キーボード２でひらがな・英字・洋数字・漢数字等を入力する場合の各文字入力キー５ごとの「所定の押しキー」の配列配置図で、１、（１）〜（８）はひらがな入力のための「各ひらがなの押しキー」の配列配置図。２、（９）〜（１２）は英字入力のための「各英字の押しキー」の配列配置図。３、（１３）は洋数字入力のための「各洋数字の押しキー」の配列配置図。４、（１４）は漢数字入力のための「各漢数字の押しキー」の配列配置図。
【符号の説明】
【００４０】１はパソコン等の機器本体。  ２は文字入力キーボード。  ３は操作命令キーボード。  ４は接続コード。  ５は文字入力キー。  ６は濁点キー。  ７は操作命令キー。
【図１】
2012128823.tif 000003
【図２】
2012128823.tif 000004
【図３】
2012128823.tif 000005
【図４】
2012128823.tif 000006
【図５】
2012128823.tif 000007